(57)【要約】  【課題】購入者の選択動作を簡素化することで、加熱終了までの時間を短縮し購入者を無用に待たせるのを防止する目的、また自動販売機管理者等が予め選択ボタンに設定する販売温度の割り当てに対して、誤って手に持てないような加熱温度に設定するのを防止し、購入者の火傷を阻止する目的、また購入者の好み温度を最大限に取入れた自動販売機を提供することを目的としている。  【解決手段】商品の販売温度を選択的に設定できるように１つの商品に対して販売温度が異なる商品選択ボタン８０４を複数個備え、商品選択ボタン８０４を押圧操作するのみで商品選択ボタン８０４に設定されている温度に商品を加熱し、商品取出口１６へ搬出するものである。【選択図】図１０
2008117172.tif 000002
【特許請求の範囲】
【請求項１】
商品を収納する商品収納室の下方に誘導加熱装置を備え、購入商品を指定する商品選択ボタンの操作により前記商品収納室から搬出され前記誘導加熱装置の誘導加熱コイルに導いて加熱し、商品取出口へ搬出する自動販売機において、前記商品の販売温度状態を選択できるように１つの商品に対して販売温度状態が異なる前記商品選択ボタンを複数備え、前記商品選択ボタンを１回操作するのみで前記商品選択ボタンに設定されている販売温度状態に前記商品を加熱し、かつ商品取出口へ搬出することを特徴とした自動販売機。
【請求項２】
商品選択ボタンに対応する商品の加熱温度を設定し変更できる温度設定手段と、前記温度設定手段で設定される加熱温度の上限温度を規制する規制手段とを備え、前記温度設定手段により加熱温度を入力した時、前記規制手段により設定されている上限温度と比較し、上限温度以上であれば入力された加熱温度をキャンセルし、再度販売温度の入力を促すことを特徴とする請求項１に記載の自動販売機。
【請求項３】
商品選択ボタンに対応する商品の加熱温度を変更し設定できる温度設定手段は、設定可能な加熱温度が予め記憶された複数の加熱温度情報から構成されており、商品の加熱温度を入力設定するときは、前記商品選択ボタンに設定する加熱温度を前記加熱温度情報から選択して変更し、前記商品選択ボタンに対応する加熱温度を設定することを特徴とする請求項１に記載の自動販売機。
【請求項４】
誘導加熱装置による加熱動作を強制終了する終了ボタンを備え、商品選択ボタン操作後であって加熱動作が終了するまでは前記終了ボタン操作を有効とし、実質的に商品が誘導加熱動作に入る前に前記終了ボタンを操作したときは、加熱せず商品を搬出することを特徴とする請求項１に記載の自動販売機。
【請求項５】
加熱温度情報に、商品を加熱しないモード設定が選択できることを特徴とする請求項３に記載の自動販売機。
【発明の詳細な説明】
【技術分野】
【０００１】
本発明は、販売動作時に機内で商品を加熱し、ホット飲料として販売する自動販売機に関するものである。
【背景技術】
【０００２】
従来、この種の自動販売機で購入者が設定した温度に応じて誘導加熱方式によって加熱する自動販売機が示されている（例えば、特許文献１参照）。
【０００３】
図２０は特許文献１に記載された従来の自動販売機の断面図、図２１は販売温度設定操作パネルの正面図、図２２は、自動販売機の販売、加熱動作を表すフローチャートである。
【０００４】
自動販売機のキャビネット１の前面には外扉２、外扉の下方には商品取出口３があり、キャビネット１の内部には商品収納部４が構成され、商品収納部４の下方にベンド機構５を備えている。また商品取出口３の底部には缶商品を誘導加熱する誘導加熱コイル６が配備されている。
【０００５】
さらに、外扉２には商品選択ボタンなどと並べて、購入者が選択的に設定する販売温度設定操作パネル７が装備されている。この操作パネル７は高温、低温設定用の設定ボタン８と、設定温度に対応した表示ランプ９を備えている。誘導加熱コイル６に併設した缶商品の加熱温度を検知する温度センサ１０を備え、缶商品の販売、加熱制御を行う制御部１０ａを備えている。
【０００６】
以上のように構成された自動販売機について、以下その動作を説明する。
【０００７】
購入者はコインを投入して所望の缶商品に対応した商品選択ボタンを操作し、さらにホット商品の販売温度に関して好みに応じて販売温度設定操作パネル７で高、低いずれかの設定ボタンを選択的に操作する。
【０００８】
すなわち熱めの場合は高温側の設定ボタンを、やや熱めの場合は低温側の設定ボタンを押す。なお標準販売温度でよければ、設定値の操作は特に必要ない。
【０００９】
そして購入者の指定した販売設定温度を表示ランプ９で表示するとともに、ベンド機構５に動作指令を与えて選択された缶商品を払い出す。ここで払い出された缶商品はシュータを転動して誘導加熱コイル６に導入され、誘導加熱コイル６に通電し、缶商品の誘導加熱を開始する。
【００１０】
そして、加熱動作時に、缶商品の加熱温度は温度センサ１０により検出し、販売温度設定値と検出温度を比較し、設定温度に昇温するまで誘導加熱する。そして設定温度と等しくなれば加熱を停止し缶商品を商品取出口３へ搬出して、販売待機状態に戻る。
【００１１】
これによって、購入者の好みに合わせて販売温度を加減調節でき、多様な要望に応えられるとともに、缶商品の加熱温度を検出して加熱するので指定した温度に適温加熱することができる。
【特許文献１】特開平２−１４８３９１号公報
【発明の開示】
【発明が解決しようとする課題】
【００１２】
しかしながら、上記従来の構成では、商品選択ボタンとは別に販売温度を設定する販売温度設定操作パネル７を構成しており、購入動作として、少なくとも商品選択ボタンと販売設定操作パネル７を操作する必要がある。また好みの温度に設定するために操作パネル７を好きな温度になるように操作し、この操作完了後にベンド機構５の搬出動作を行って誘導加熱コイル６へ商品を導入し、加熱を開始する。
【００１３】
このため商品選択ボタン操作後に販売温度操作パネル７で販売温度を選択するので、販売温度の決定がどのタイミングでされるのか分からず、他の決定ボタンが無い場合は所定時間経過後に表示ランプが点灯された販売温度を決定として判断し、その後ベンド機構５から搬出されるので、商品選択から加熱終了までに時間がかかり購入者を無用に待たせるという課題があった。
【００１４】
また購入者の選択動作が複数あり、煩雑になるという課題があった。
【００１５】
また販売温度設定操作パネル７の熱め側あるいはやや温かめの設定ボタンに割り当てられる温度は自動販売機メーカや自動販売機管理者が予め設定するが、この割り当て温度が本来の設定温度以上に誤って設定されて設置された場合、購入者が火傷をするという課題があった。
【００１６】
また、購入者の中には、加熱しないで商品を購入したいという課題もあった。
【００１７】
本発明は、上記従来の課題を解決するもので、購入者の選択動作を簡素化することで、加熱終了までの時間を短縮し購入者を無用に待たせるのを防止する目的、また自動販売機管理者等が予め選択ボタンに設定する販売温度の割り当てに対して、誤って手に持てないような加熱温度に設定するのを防止し、購入者の火傷を阻止する目的、また購入者の好み温度を最大限に取入れた自動販売機を提供することを目的としている。
【課題を解決するための手段】
【００１８】
上記従来の課題を解決するために、本発明の自動販売機は、商品を収納する商品収納室の下方に誘導加熱装置を備え、購入商品を指定する商品選択ボタンの操作により前記商品収納室から搬出され前記誘導加熱装置の誘導加熱コイルに導いて加熱し、商品取出口へ搬出する自動販売機において、前記商品の販売温度状態を選択できるように１つの商品に対して販売温度状態が異なる前記商品選択ボタンを複数備え、前記商品選択ボタンを１回操作するのみで前記商品選択ボタンに設定されている販売温度状態に前記商品を加熱し、かつ商品取出口へ搬出するものである。
【００１９】
これによって、購入者の選択動作は１回のみで好みの温度に加熱した商品を無用に待つことなく購入することができる。
【発明の効果】
【００２０】
本発明の自動販売機は、商品選択動作を簡素化して好みの温度に加熱したホット商品を無用に待つことなく購入することができる。
【発明を実施するための最良の形態】
【００２１】
請求項１に記載の発明は、商品を収納する商品収納室の下方に誘導加熱装置を備え、購入商品を指定する商品選択ボタンの操作により前記商品収納室から搬出され前記誘導加熱装置の誘導加熱コイルに導いて加熱し、商品取出口へ搬出する自動販売機において、前記商品の販売温度状態を選択できるように１つの商品に対して販売温度状態が異なる前記商品選択ボタンを複数備え、前記商品選択ボタンを１回操作するのみで前記商品選択ボタンに設定されている販売温度状態に前記商品を加熱し、かつ商品取出口へ搬出するものである。
【００２２】
これによって、購入者は商品選択ボタンの押圧操作のみで好みの温度に加熱した商品を無用に待つことなく購入することができる。
【００２３】
請求項２に記載の発明は、請求項１に記載の発明において、商品選択ボタンに対応する商品の加熱温度を設定し変更できる温度設定手段と、前記温度設定手段で設定される加熱温度の上限温度を規制する規制手段とを備え、前記温度設定手段により加熱温度を入力した時、前記規制手段により設定されている上限温度と比較し、上限温度以上であれば入力された加熱温度をキャンセルし、再度販売温度の入力を促すものである。
【００２４】
これによって、誤って上限温度以上に加熱温度が設定されるのを防止することができ、購入者がやけどするのを防止することができる。
【００２５】
請求項３に記載の発明は、請求項１に記載の発明において、商品選択ボタンに対応する商品の加熱温度を変更し設定できる温度設定手段は、設定可能な加熱温度が予め記憶された複数の加熱温度情報から構成されており、商品の加熱温度を入力設定するときは、前記商品選択ボタンに設定する加熱温度を前記加熱温度情報から選択して変更し、前記商品選択ボタンに対応する加熱温度を設定するものである。
【００２６】
これによって、予め販売温度数値が記憶されているモードを選択して温度設定を行うので、販売温度数値を直接入力して設定することはなく誤った設定温度を入力するのを抑制できる。
【００２７】
請求項４に記載の発明は、請求項１に記載の発明において、誘導加熱装置による加熱動作を強制終了する終了ボタンを備え、商品選択ボタン操作後であって加熱動作が終了するまでは前記終了ボタン操作を有効とし、実質的に商品が誘導加熱動作に入る前に前記終了ボタンを操作したときは、加熱せず商品を搬出するものである。
【００２８】
これによって、加熱途中で加熱動作を停止することができ、缶商品の加熱動作の汎用性を高め、自動販売機での商品の販売促進を行うことができる。
【００２９】
請求項５に記載の発明は、請求項３に記載の発明において、加熱温度情報に、商品を加熱しないモード設定が選択できるものである。
【００３０】
これによって、庫内に貯蔵されている商品温度のまま商品を搬出することができるので利用者のニーズを高めた自動販売機を提供することができる。
【００３１】
以下、本発明の実施の形態について、図面を参照しながら説明するが、従来例または先に説明した実施の形態と同一構成については同一符号を付して、その詳細な説明は省略する。なお、この実施の形態によってこの発明が限定されるものではない。
【００３２】
（実施の形態１）
図１は、本発明の実施の形態１を示す自動販売機の正面図である。図２は同実施の形態の自動販売機の縦断面図である。図３は同実施の形態の自動販売機における缶商品の誘導加熱装置の斜視図である。図４は同実施の形態の自動販売機における缶商品の誘導加熱装置の正面図である。図５は図４の矢視Ａの側面図である。図６は図４の矢視Ａの側面図である。図７は図４のＢ−Ｂ線の断面図である。図８は図４の矢視Ｃから見た図である。図９は同実施の形態の自動販売機における缶商品の誘導加熱装置の搬出機構を示す図である。
【００３３】
図において、自動販売機本体１１内には複数の商品収納室１１ａが区画構成されて種々の缶商品１８がそれぞれ収納されている。自動販売機本体１１の前面開口部には外扉１２が配置されている。外扉１２の上部に商品サンプル展示室１３、その下方に商品の広告などを掲示する広告パネル室１４と金銭投入部１５が横並びに備えられ、外扉１２の下部には選択された商品１８を排出する商品取出口１６が備えられている。そして商品取出口１６と隣り合わせに缶商品の誘導加熱装置１７が設置され商品収納室１１ａの下部から商品１８を受け入れるように関連づけられている。そして、誘導加熱装置１７の商品排出側は商品取出口１６と連通し、缶商品の誘導加熱装置１７で加熱された飲料等の流動性内容物に代表される缶商品１８は商品取出口１５から取り出せるように形成されている。
【００３４】
また、誘導加熱装置１７の高さ方向の配置位置に関しては、特に商品取出口１６よりも下方の位置に配置されるように構成されている。すなわち、上から順に商品収納室１１ａの商品を排出する下端部、商品取出口１６の商品の落下する底部、誘導加熱装置１７の商品が載置される下端部、という高さ方向の配置関係となっている。
【００３５】
以下に誘導加熱装置１７による加熱構造について説明する。
【００３６】
誘導加熱装置１７は、缶商品１８を倒置姿勢に受容保持する断面略円弧状（以下、樋状という）の商品受台１９と、商品受台１９の裏面に巻装した誘導加熱コイル２０と、商品受台１９の近傍にあり、下方から缶商品１８の周面に当接する回転手段としての下部ローラ２１と、下部ローラ２１の下方に下部ローラ駆動モータ２２が設置され、下部ローラ２１と下部ローラ駆動モータ２２がベルト２３によって連結されて下部ローラ２１を回転駆動させる構成となっている。
【００３７】
誘導加熱コイル２０と下部ローラ２１とは所定の間隔Ｌをおいて離間した位置に配置されており、誘導加熱コイル２０の配置されている領域内に下部ローラ２１が埋め込まれて存在するものではない。
【００３８】
また、誘導加熱コイル２０の形状は上記のような断面略円弧状や樋状に限るものではなく、缶商品１８を倒置姿勢に受容保持して適切な加熱を行えるような形状であればよい。
【００３９】
商品受台１９は樹脂などの非磁性材で形成され、商品受台１９の周縁部には裏面に向かってフランジ部１９ａを形成し商品受台１９の裏面には、このフランジ部１９ａに囲まれた空間部１９ｂを形成している。誘導加熱コイル２０はこの空間部１９ｂに形成されている。商品受台１９は誘導加熱装置１７を形成する外枠２４にビス等で固定されている。
【００４０】
なお、商品受台１９を形成する材料は、缶商品１８の回転動作と接触摺動することになるので、樹脂の場合であると、例えば低摩擦，低摩耗の特性を有する高密度ポリエチレン等の樹脂で形成することが好ましい。
【００４１】
誘導加熱装置１７は外枠２４で周囲を覆って形成されている。具体的には商品受台１９の背面を固定する背面壁２４ａ、商品受台１９の下面を固定する底壁２４ｂ、商品受台１９の両端側で誘導加熱装置１７の両側壁を形成する側壁２４ｃ、２４ｄ、背面壁２４ａに対応する前面壁２４ｅで覆われている。具体的には図のように外枠２４の側壁２４ａと底壁２４ｂに商品受台１９の裏側を固定できるように設置され、商品受台１９の上部が側壁２４ａに沿うように配置し、商品受台１９の下部が底壁２４ｂに載置するように設置されている。
【００４２】
また下部ローラ２１は内部に金属性の軸２１ａと、軸２１ａの外側に延長して樹脂製のローラ部材２１ｂを備え、ローラ部材２１ｂには軸２１ａ方向に延長してゴム部材２１ｃで覆われている。ゴム部材２１ｃの表面には細かな溝を形成していてもよい。
【００４３】
また下部ローラ２１の両端は軸２１ａによって誘導加熱装置１７の側壁２４ｃと側壁２４ｄに軸支され、軸２１ａの一端側と下部ローラ駆動モータ２２には滑車２５を備え、ベルト２３を介して連結されている。
【００４４】
上記のように、誘導加熱装置１７は外枠２４の上部に誘導加熱コイル２０を備えた樋状の商品受台１９を背面壁２４ａと底壁２４ｂに立て掛けるように固定し、商品受台１９の下端縁１９ｃ近傍に下部ローラ２１が備えられ、外枠２４の底壁２４ｂの下部は側壁２４ｃ、２４ｄと前面壁２４ｅに周囲を覆われ、内部に下部ローラ駆動モータ２２と誘導加熱コイル２０の発熱による熱を強制排熱するための排熱ファン２６が設置され、前面壁２４ｅには排熱ファン２６に対応する部分に排熱孔２７が形成されている。
【００４５】
また背面壁２４ａには上部にも孔２８を備え、この孔２８は誘導加熱コイル２０に対応する部分に形成されている。また少なくとも背面壁２４ａはアルミ製板で形成されている。
【００４６】
次に、自動販売機本体１１内における誘導加熱装置１７の配置構成について述べると、高さ方向の配置関係は上述のとおり、誘導加熱装置１７の缶商品１８が載置される下端部は商品取出口１６の底部よりも下方に位置し、概ね誘導加熱装置１７は商品取出口１６の下方に通常存在する外扉１２の空間スペースを活用して配置できるようにしている。
【００４７】
商品取出口１６は、商品購入者の取り出し性を高めて腰を屈める負担を軽減するために通常、外扉１２の最下部にレイアウトせず、それよりも上部の適所に配置構成されるために、通常、商品取出口１６の下方にいわゆるデッドスペースとなる空間が存在するものである。
【００４８】
そして、このデッドスペースとなる空間内をほぼ活用して配置される誘導加熱装置１７は、缶商品１８の排出側が上向きとなるような傾斜姿勢で配置される。したがって、誘導加熱装置１７内から商品取出口１６内に缶商品１８を排出するためには缶商品１８の自重に抗して移動させる排出機構を別途必要としている。
【００４９】
以上のように構成された誘導加熱装置について、以下その動作、作用を説明する。
【００５０】
誘導加熱装置１７の商品受台１９に上部から缶商品１８が倒置姿勢で投入されると、下部ローラ２１は下部ローラ駆動モータ２２の駆動により滑車２５に引っ掛けたベルト２３を介して軸２１ａを回転させ、軸２１ａに圧入されたローラ部材２１ｂを同時に回転させて回転駆動している。
【００５１】
また、図５のように下部ローラ駆動モータ２２は下部ローラ２１が反時計回りに回転するように回転することで缶商品１８を回転させるとともに誘導加熱コイル２０に高周波電流を通電して缶商品１８を誘導加熱する。そして所定時間の加熱が経過すると誘導加熱コイル２０への給電、下部ローラ駆動モータ２２を停止する。
【００５２】
下部ローラ２１回転時、ゴム部材２１ｃが缶商品１８に当接しているので缶商品１８はグリップが効いて空回りすることなく回転することができ、局部加熱することなく適温に加熱することができる。また缶商品１８の下部が誘導加熱コイル２０と下部ローラ２１に挟まれており、図４のように、下部ローラ２１が反時計回りに回転するので缶商品１８は時計回りに回転し、図５のように商品受台１９が設置されているので缶商品１８は商品受台１７から飛び出すことはない。なお、缶商品１８の空回りが避けられるならばゴム部材２１ｃに代わる部材やゴム部材２１ｃなしで可能な材料で下部ローラ２１を形成してもよい。
【００５３】
また商品受台１９は倒置姿勢の缶商品１８より長く形成されている。これに伴って下部ローラ２１も少なくとも商品受台１９の長さ以上に長く備えられているので、缶商品１８が商品受台１７上のどこに倒置して設置しても、缶商品１８を固定することなく回転させることができ局部加熱を防ぐことができる。つまり、缶商品１８の長さに関わらず安定した加熱が行える。一方、商品受台１９の上方は開放して缶商品１８を規制する部材を有さず、回転により商品受台１９との下部接触面で均一加熱が可能であるため、商品の外径の大小にも左右されず加熱が行える。すなわち缶商品１８の大小に関わらず安定した加熱品質を提供できるものである。
【００５４】
なお、回転手段としての下部ローラ２１は品受台１９の長さ以上に軸方向長さが長いことが好ましいが、これより短い形態であっても、実質的な缶商品１８との当接面が下部ローラ２１の軸方向に十分確保できて安定した回転が行えるものであれば差し支えない。
【００５５】
限定されるものではないが、目安として受け入れが想定される缶商品１８の全長よりも下部ローラ２１の接触面の長さが長ければ、想定される缶商品１８の全長に対する商品受台１９の長手方向の寸法設計の合理的範囲より、缶商品１８の商品受台１９への受け入れ時に軸方向に位置ずれしても実質的には缶商品１８の全長方向の大部分を下部ローラ２１の接触面で受けることになり、安定した回転動作に大きな支障は生じない。
【００５６】
また、ゴム部材２１ｃに細かな溝が形成されていれば、さらに缶商品の空回りを低減し、回転駆動させることができる。
【００５７】
また缶商品１８の加熱時、誘導加熱コイル２０は発熱し背面壁２４ａにも熱が伝熱される。背面壁２４ａはアルミ製板であるので、鉄板よりは熱伝導率が低く伝熱を低減することができるが、十分ではないので、排熱ファン２６によって、背面壁２４ａの孔２８から外部の空気を取り入れ、底壁２４ｂに形成した底孔２９に連通させて、排熱孔２７から外部へ排熱し、背面壁２４ａの異常な加熱を防止することができる。また下部ローラ駆動モータ２２の発熱も排熱ファン２６によって低減することができるので、モータの信頼性を確保することができる。
【００５８】
一方、図４のように誘導加熱装置１７の商品受台１９の上部に姿勢制御部材３０が形成され、商品受台１９の幅方向（長さ方向）に移動自在に形成してもよい。姿勢制御部材３０は商品受台１９の上部に形成した上部ローラ３１に移動自在に挿入されている。上部ローラ３１は軸として金属性の軸３１ａと、軸３１ａの外側に幅方向に延長して樹脂製のローラ部材３１ｂで形成されている。ローラ部材３１ｂには軸３１ａ方向に溝３１ｃが形成されている。
【００５９】
上部ローラ３１は商品受台１９の上部で背面壁２４ａ側に商品受台１９の幅方向に延在して形成され、姿勢制御部材３０は樹脂製であり缶商品に接触しても傷つきがないようにしており、前面壁２４ｅ側に向かって水平に延びている。
【００６０】
上部ローラ３１の回転駆動は上部ローラ駆動モータ３２の駆動によって行われる。上部ローラ駆動モータ３２は商品受台１９の下方に備えた下部ローラ駆動モータ２２と横並びに配置している。そして上部ローラ３１と上部ローラ駆動モータ３２はベルト３３を介して連結されている。
【００６１】
以上のように構成された誘導加熱装置の姿勢制御機構について、以下その動作、作用を説明する。
【００６２】
誘導加熱装置１７の上方から缶商品１８が投入される。このとき倒置姿勢で商品受台１９にセットされれば良いが、商品受台１９に缶商品１８が立ち姿勢で投入される場合がある。このまま加熱すると、商品受台１９との接触部のみが局部加熱を起こし商品が破損したり適温に加熱されないおそれがある。
【００６３】
したがって、まず姿勢制御部材３０は初期位置である商品受台１９の端部に位置し、缶商品１８が誘導加熱装置１７に投入されると、缶商品１８の姿勢状態にかかわらず上部ローラ駆動モータ３２を駆動させ、上部ローラ３１が回転駆動し、姿勢制御部材３０が商品受台１９の端部から他方の端部へ溝３１ｃに沿って移動する。そして端部まで移動すると、上部ローラ駆動モータ３２を逆回転させ、上部ローラ３１を逆回転させて姿勢制御部材３０を初期位置まで戻す。そして初期位置まで戻ってきたことを確認した後、加熱動作を行う。
【００６４】
これによって缶商品１８が商品受台１９上に立ち姿勢であれば、姿勢制御部材３０の移動動作によって缶商品１８を商品受台１９上に倒すことができ、立ち姿勢による局部加熱を防ぐことができる。姿勢制御部材３０は缶商品１８が立ち姿勢にある場合、缶商品１８の中間よりも上部に当たるように配置されているので、商品が立ったまま商品受台１９上を引きずられることを防ぐことができる。
【００６５】
また姿勢制御部材３０は商品受台１９を幅方向に往復移動させるので、缶商品１９が倒れず初期位置に姿勢制御部材３０が戻ってこないと判断すると、加熱動作を行わないので缶商品１８の局部加熱や破損を防ぐことが出来る。
【００６６】
上記以外に姿勢制御部材３０を往復移動させず、片側移動によって制御し、次の加熱動作を判断してもよい。この場合、缶商品１８投入から加熱動作を行うまでの時間を短縮でき、利用者への待ち時間を低減することができる。
【００６７】
次に、誘導加熱装置１７による缶商品の搬出機構について説明する。
【００６８】
搬出機構の直接的な動作は、搬出部材３３によって商品受台１９で加熱された後の缶商品１８を缶の長手方向に滑らせて外部へ押し出すものである。搬出部材３３は樹脂製材料で形成され缶商品１８に接触しても傷つきがないようにしており、搬出部材３３の端部には溝を有した挿入孔３３ａを備え、下部ローラ２１を挿入している。下部ローラ２１も溝３４を軸方向に向かって延在して形成し、溝３４と溝３４の間の缶商品１８に当接する一連の当接部３５が軸方向に向かって延在し、当接部３５にはゴム部材３６で表面を覆われている。
【００６９】
下部ローラ駆動モータ２２にベルト３３を介して連結される下部ローラ２１の一端部分には溝３４やゴム部材３６が形成されていない搬出部材３３を待機させる待機部分３７を形成している。待機部分３７は下部ローラ２１を構成するローラ部材２１ｂと一体成形されており、待機部分３７の外径はローラ部材２１ｂの外径より小さく形成されている。また待機部分３７にはバネ部材３８が挿入されローラ部材２１ｂの端部に固定されている。
【００７０】
また、誘導加熱装置１７の商品受台１９の端部には開口部３９が形成され、開口部３９を開閉する上下方向に移動可能な開閉部材４０が形成されている。図８は図４の矢視Ｃの図である。開閉部材４０は背面壁２４ａと前面壁２４ｅに上下方向に形成されたレール４１に沿って上下方向に移動可能である。
【００７１】
開閉部材４０は樹脂製であり、略中央部に上下方向に開口した開口部４０ａを備え、開口部４０ａには開閉部材駆動モータ４２とラックピニオン式に移動するように歯４０ｂが形成されている。
【００７２】
開閉部材駆動モータ４２は上部ローラ駆動モータ３２や下部ローラ駆動モータ２２と同じ空間部に配置されている。
【００７３】
以上のように構成された誘導加熱装置の搬出機構について、以下その動作、作用を説明する。
【００７４】
誘導加熱装置１７の上方から缶商品１８が投入され、缶商品１８の姿勢制御機構による動作後、加熱動作が行われ、適温に加熱した後、商品受台１９から缶商品１８を外部へ搬出する搬出機構による動作が行われる。
【００７５】
加熱動作時、下部ローラ２１が回転することで当接部３５が缶商品１８に当接して缶商品１８を回転（自転）させるとともに誘導加熱コイル２０に高周波電流を通電して缶商品１８を誘導加熱する。これによって一連の当接部３５が缶商品１８に当接するので缶商品１８を自転させることができる。
【００７６】
またこの時、搬出部材３３は下部ローラ２１の回転により挿入孔３３内に形成された溝３４との関係によって、初期位置である待機部分３７側に移動するように構成されており、搬出部材３３は溝３４や当接部３５から離脱して待機部分３７に誘導される。搬出部材３３は待機部分３７内でスリップ（空回り）しながら維持される。下部ローラ２１の回転によって、さらに側壁２４ｃ側へ移動しようとする搬出部材３３はバネ部材３８によって商品受台１９側に付勢されるので側壁２４ｃにかかる荷重を低減することができる。またこのバネ部材３８を備えることによって、搬出部材３３の破損を防止できる。
【００７７】
そして加熱動作が終了し、下部ローラ２１が停止すると、次に缶商品１８の搬出動作を行う。このとき、下部ローラ駆動モータ２２に逆通電し、下部ローラ２１は加熱時の逆回転を行う。これによって搬出部材３３は下部ローラ２１の待機部分３７から溝３４に沿って移動し倒置姿勢の缶商品１８に当接し倒置姿勢のまま商品受台１９上を押して行くことで滑らせて外部へ搬出する。
【００７８】
搬出部材３３は商品受台１９の端部まで移動すると、下部ローラ２１を加熱時と同じ方向に回転させて、搬出部材３３を初期位置である待機位置３７に移動させる。
【００７９】
よって加熱後の缶商品１８を自動的に外部へ搬出することができるので利用者は誘導加熱装置１７内に手を入れて取り出す必要がなく安全を確保することができる。また商品搬出後、搬出部材３３を待機位置３７に戻すことで、商品がユニット内に詰っているかどうかを制御することができ、所定時間の間に待機位置３７に戻らない場合は商品詰まりとして異常判断することができる。
【００８０】
次に、誘導加熱装置１７内に缶商品１８が投入される前の待機時は、開閉部材４０は開口部４０ａを閉じて商品受台１９に触れられず、異物等が侵入することがないようにしている。また、缶商品１８の投入時に誘導加熱装置１７外に缶商品の一部が誤って飛び出すことも防止するほか、加熱中の装置内空間を開放せず加熱効率を高める役割もある。
【００８１】
缶商品１８が投入されると、姿勢制御機構により倒置姿勢に維持され、加熱動作によって商品を加熱し、その後下部ローラ２１を駆動させて搬出部材３３を初期位置から移動開始させると同時に、開閉部材駆動モータ４２を駆動させて開閉部材４０をレール４１に沿って開いて適温に加熱した缶商品１８を搬出する。開閉部材４０は開閉部材駆動モータ４２の駆動により上下方向に形成した歯４０ｂとラックピニオン式により下方へ移動して開口部３９を開いて商品受台１９から商品を搬出する。
【００８２】
このとき、開口部３９には搬出部材３３が移動しており、開口部３９を搬出部材３３で塞ぐことになり、缶商品１８の搬出時に開口部３９から内部に手や異物を挿入されるのを防ぐことができる。
【００８３】
そして搬出部材３３が初期位置方向へ移動する前に、先に開閉部材駆動モータ４２を駆動させ開閉部材４０で開口部３９を閉じて、その後搬出部材３３を初期位置に戻すことで一連の動作の中で、商品受台１９内に手や異物が入るのを阻止することができる。また安全性を確保できる。
【００８４】
また、同じ空間内に駆動モータを配置し、排熱ファン２６を備えて排熱しているので駆動モータの発熱によるモータの信頼性低下を阻止することができる。
【００８５】
そして、上述した誘導加熱装置１７と商品取出口１６の高さ方向の配置関係により、缶商品１８を誘導加熱装置１７外に排出する排出機構は、斜め上方に向けて傾斜設置された誘導加熱装置１７に設けられる商品受台１９の面上を商品１８の長手方向に斜め上方に摺動させて移動させるように構成さている。すなわち、搬出機構の搬出部材３３は斜め上方に缶商品１８を押し上げながら移動し、最後には開口部３９より商品取出口１６内に缶商品１８を落下排出させることができる。
【００８６】
したがって、このような構成をとることにより、誘導加熱装置１７を商品取出口１６に対して相対的に下方となるように配置しても缶商品１８の排出は支障なく可能であり、これにより、通常の自動販売機ではデッドスペースとなっている商品取出口１６の下方空間を有効に活用して誘導加熱装置１７を備えることができる。このため、従来技術のように商品収納室１１ａに利用する有効な庫内スペースを割いて誘導加熱装置１７を設ける必要がなく、庫内スペースを商品収納室１１ａに最大限有効活用できる。
【００８７】
さらに、誘導加熱装置１７は外扉１２側の商品取出口１６の下方空間に収容するものであるため、現状一般的に使用される自動販売機の商品収納室１１ａを含めた庫内側の構成や商品取出口１６を含む外扉１２の構成をほとんど変更せずに、新たに、誘導加熱装置１７を備えて商品の急速加熱機能を有する付加価値の高い自動販売機を実現できるメリットがある。
【００８８】
なお、本実施の形態においては、誘導加熱コイル２０と回転手段である下部ローラ２１とは所定の間隔Ｌをおいて離間した位置に配置されている構成のものを前提に説明したが、姿勢制御機構や搬出機構は、いずれもその機構そのものに特有の作用効果を有するものであるので、誘導加熱コイル２０と回転手段である下部ローラ２１の配置関係については、所定の離間関係にあるものでなくても構わず、誘導加熱コイル２０の領域と回転手段である下部ローラ２１の配設位置が重なり合うものでも組み合わせ構成が可能であり特有の効果を期待することができる。
【００８９】
次に、缶商品１８の温度を検知する温度検知手段である非接触式温度検知手段４３について説明する。
【００９０】
図４のように、前面壁２４ｅに非接触式温度検知手段４３を設置するホルダー４４をビス等で固定する。ホルダー４４内には非接触式温度検知手段４３（例えば赤外線センサー）が保持されている。
【００９１】
非接触式温度検知手段４３は商品受台１９の長手方向（幅方向）の略中間部で、下部ローラ２１近傍に配置されている。缶商品は下部ローラ２１に当接配置するので缶外径の大小にかかわらず缶商品と非接触式温度検知手段４３との距離はほぼ一定に保つことが出来る。したがって商品受台１９のどの位置に缶商品１８が倒置されても缶商品と一定の距離が保てるように配置することができる。
【００９２】
以上のように構成された誘導加熱装置の缶商品１８の検知手段について、以下その動作、作用を説明する。
【００９３】
商品受台１９に倒置姿勢に維持された缶商品１８は下部ローラ２１の回転により自転を行う。そして缶商品１８は非接触式温度検知手段４３によってその表面が所定温度になったことを検知したときに誘導加熱コイル２０への給電を停止し、回転駆動も停止される。したがって非接触式温度検知手段４３を下部ローラ２１近傍で商品受台１９の長手方向の略中間部に設置することで、缶商品の外径大小にかかわらず適温に加熱することができる。
【００９４】
（実施の形態２）
図１０は、本発明の実施の形態２における自動販売機の斜視図である。図１１は、同実施の形態の自動販売機における外扉の裏面斜視図である。図１２は、同実施の形態の自動販売機における缶商品の誘導加熱装置の斜視図である。図１３は、同実施の形態の自動販売機における誘導加熱装置の要部斜視図である。図１４は、同実施の形態の自動販売機における誘導加熱装置の要部斜視図である。図１５は、同実施の形態の自動販売機における誘導加熱装置の正面要部断面図である。図１６は、図１５の要部拡大図である。図１７は、同実施の形態の風路構成図である。図１８は、同実施の形態の要部斜視図である。図１９は、同実施の形態のコイルケース内の構成図である。
【００９５】
自動販売機本体１１や外扉１２に対する誘導加熱装置１００の配置関係は実施の形態１と同様であり、省略する。
【００９６】
また、誘導加熱装置１００の高さ方向の配置位置に関しては、実施の形態１と同様であり、商品誘導加熱制御部５０２の高さ方向に配置位置に関しては、商品取出口１６の下方の位置に配置されている。また、誘導加熱装置１００の左右方向の配置位置に関しては、硬貨を回収するコイン回収箱５０３と商品取出口１６との間に構成されている。
【００９７】
図１０において、自動販売機本体１１の前面開口部には外扉１２が配置されている。外扉１２の構成について説明する。
【００９８】
外扉１２の上部には商品サンプル展示室１３、その下方に商品の広告などを掲示する広告パネル室１４と金銭投入部１５が横並びに備えられ、外扉１２の下部には選択された商品１８を排出する商品取出口１６が備えられている。そして外扉１２の裏面側に商品取出口１６と隣り合わせに缶商品の誘導加熱装置１００が設置され、実施の形態１と同様に商品収納室１１ａの下部から商品１８を受け入れるように関連づけられている。そして、誘導加熱装置１００の商品排出側は商品取出口１６と連通し、缶商品の誘導加熱装置１００で加熱された飲料等の流動性内容物に代表される缶商品１８は商品取出口１６から取り出せるように形成されている。
【００９９】
誘導加熱装置１００は図１１のように缶商品の長手方向の受容状態は斜め配置で、商品取出口１６側が他側よりも上方になる状態で維持されて、誘導加熱装置１００内で加熱運転される。
【０１００】
商品サンプル展示室１３内は、上部に冷却専用の商品サンプル展示部１３ａ、下部に誘導加熱装置１００によって加熱可能な商品サンプル展示部１３ｂが上下に区画板８００によって区画形成され展示されている。商品サンプル展示部１３ａは従来と同様のサンプル構成であり、１つの商品サンプルに対応して１つの商品選択ボタン８０１が構成されている。
【０１０１】
また商品サンプル展示部１３ｂには、展示されている商品サンプル８０２の商品が、誘導加熱方式により加熱されるため、通常よりしばらく時間がかかる旨等の表示部８０３が区画板８００に掲載されている。
【０１０２】
そして商品サンプル８０２の下方には、１つの商品サンプル８０２に対応した商品選択ボタン８０４ａ，８０４ｂの２つの商品選択ボタンが構成されている。具体的には商品選択ボタン８０４ａは販売温度の設定が約５５℃の高温設定で「あつめ」の販売温度状態が表示され、商品選択ボタン８０４ｂは販売温度の設定が約５０℃の低温設定で「ぬるめ」の販売温度状態が表示されて構成されている。
【０１０３】
また商品サンプル展示部１３ｂの商品サンプル８０２は、商品サンプル展示部１３ａの商品サンプルとは異なって、平面的なカード状に構成された商品サンプル８０２であり、利用者に商品サンプル展示部１３ｂの商品が、商品サンプル展示部１３ａの商品とは異なり、誘導加熱方式による加熱であることをアピールできるように構成されている。
【０１０４】
誘導加熱装置１００には後述する非接触式温度検知手段１１０が配置され、非接触式温度検知手段１１０によって、缶商品１８の表面温度を検知して、中身飲料温度を推定し、推定された中身飲料温度が販売設定温度になった時の缶表面温度が特定された温度になったときに、非接触式温度検知手段１１０からの信号が後述する商品誘導加熱制御部５０２に入力され、誘導加熱コイル１０２への通電を停止する。
【０１０５】
次に、誘導加熱装置１００による加熱構造について説明する。
【０１０６】
誘導加熱装置１００は、缶商品１８を倒置姿勢に受容保持する断面略面取り形状の商品受台１０１と、商品受台１０１の裏面に巻装した誘導加熱コイル１０２と、商品受台１０１の近傍にあり、下方から缶商品１８の周面に当接する回転手段としての下部ローラ１０３と、下部ローラ１０３の下方に下部ローラ駆動モータ１１１が設置され、下部ローラ１０３と下部ローラ駆動モータがベルト（図示しない）によって連結され、下部ローラ１０３を回転駆動させる構成となっている。
【０１０７】
誘導加熱コイル１０２と下部ローラ１０３とは実施の形態１と同様に所定の間隔Ｌをおいて離間した位置に配置されており、誘導加熱コイル１０２の配置している領域内に下部ローラ１０３が埋め込まれているものではない。
【０１０８】
また、商品受台１０１や誘導加熱コイル１０２の形状は上記のように断面略面取り形状や樋状に限るものではなく、缶商品１８を倒置姿勢で受容保持して適切な加熱が行える形状であればよい。
【０１０９】
商品受台１０１は表面が樹脂などの非磁性材で形成され、缶商品１８が接触して回転する部分には図１３のように略矩形状の強化ガラス板５００がはめ込まれている。缶商品１８が商品受台１０１に接触摺動するので、商品受台１０１面の削れや摩耗に優れたセラミックやガラスで形成されることが望ましい。特に上部の商品収納室１１ａから商品受台１０１に商品が落下してくるので、強化ガラス板５００で構成するのが望ましい。
【０１１０】
また商品受台１０１は上記のように樹脂製のコイルケース１０１ａで構成され、缶商品と当接する部分は、コイルケース１０１ａに略矩形状に凹溝１１５を形成し、凹溝１１５に強化ガラス板５００がはめ込まれて構成され、コイルケース１０１ａの後方に誘導加熱コイル１０２が固定され、複数の略矩形状の磁性材料のフェライト１０４がコイルケース１０１ａの裏蓋となるコイルケース本体１０１ｂ内に固定配置され、商品受台１０１を構成している。コイルケース本体１０１ｂには誘導加熱コイル１０２の温度を検出するコイルサーミスタ１０５が配置されている。
【０１１１】
またコイルケース１０１ａ裏面に熱伝導シート１１６を貼付することで、誘導加熱コイル１０２の熱伝導率を高め、誘導加熱コイル１０２のコイル発熱温度を低減することができ、缶商品の加熱効率を高めることができると共に、誘導加熱コイル１０２の発熱による信頼性低下を阻止することができる。
【０１１２】
また、缶商品が上部の搬出部から商品受台１０１に搬送されたときの落下衝撃を熱伝導シート１１６が吸収するので、商品受台１０１の損傷を低減することができる。
【０１１３】
誘導加熱装置１００は外枠１０６で周囲を覆って形成されており、誘導加熱装置１００の上部に上記のような商品加熱部１００ａ、下部に下部ローラ１０３を駆動する下部ローラ駆動モータ１１１等が収納された駆動部１００ｂが形成されている。
【０１１４】
また下部ローラ１０３は両端を外枠１０６に構成された受け部１０７に支持されている。下部ローラ１０３の内部には、一端側のみに金属製の軸部１０３ａと、軸部１０３ａの内側に延長して樹脂製のローラ部材１０３ｂを備え、他端側はローラ部材１０３ｂが軸となって、受け部１０７に支持されている。このためローラ部材１０３ｂの両端部は同形状を構成しておらず、軸部１０３ａを外枠１０６に残して、ローラ部材１０３ｂのみが着脱自在に構成されている。
【０１１５】
ローラ部材１０３ｂは樹脂製の芯部材１０８と商品に直接接触して商品自身に回転力を与えるゴム部材１０３ｃとで構成され、ゴム部材１０３ｃは芯部材１０８に形成されたネジ切り部１０８ｃ間にらせん状に構成されている。
【０１１６】
またゴム部材１０３ｃはローラ部材１０３ｂの軸部１０３ａ方向に延長して芯部材１０８の外周面にらせん状に一体に構成されて、芯部材１０８は表面から中心方向に向かって複数の穴部１０３ｄが軸方向に延長して形成され、芯部材１０８の中心付近で隣合う穴部１０３ｄが連通するように別の連結穴部１０３ｅが形成され、芯部材１０８の内部で複数の穴部１０３ｄが連結穴部１０３ｅによって軸方向に連通する。
【０１１７】
そして芯部材１０８の軸方向にゴム部材１０３ｃを２色成形することで、穴部１０３ｄ、連結穴部１０３ｅ内にゴム部材１０３ｃが充填されるので、ローラ部材１０３ｂの回転駆動によって芯部材１０８表面からゴム部材１０３ｃのズレや剥がれが起きるのを低減でき、缶商品１８の回転動作を正常に行うことができる。
【０１１８】
またゴム部材１０３ｃが缶商品との摺動により磨耗や劣化による損傷等が起これば、片方の受け部１０７からローラ部材１０３ｂを外し、他方に構成された軸部１０３ａからローラ部材１０３ｂを引き抜くことができ、新しいローラ部材１０３ｂと交換することができる。
【０１１９】
また図１６で、芯部材１０８のゴム部材１０３ｃがらせん状に構成される部分は、芯部材１０８の突部１０８ａよりも一段下がった溝部１０８ｂとなって構成されており、溝部１０８ｂ内にゴム部材１０３ｃが形成されている。したがって芯部材１０８の軸方向にらせん状に構成されたゴム部材１０３ｃの側部の一部が突部１０８ａに覆われて形成されることになる。
【０１２０】
また商品受台１０１の上方で、その長手方向に上部ローラ２０１が構成され、上部ローラ２０１には商品収納部から商品受台１０１に搬出された缶商品１８を倒置姿勢になるように制御する姿勢制御部材２００が商品受台１０１上を長手方向に可動自在に構成している。
【０１２１】
次に、自動販売機本体１１内における誘導加熱装置１００の配置構成について述べると、高さ方向の配置関係は上述のとおり、誘導加熱装置１００の缶商品１８が載置される下端部は商品取出口１６の底部よりも下方に位置し、概ね誘導加熱装置１００は商品取出口１６の下方に通常存在する外扉１２の空間スペースを活用して配置できるようにしている。
【０１２２】
商品取出口１６は、商品購入者の取り出し性を高めて腰を屈める負担を軽減するために通常、外扉１２の最下部にレイアウトせず、それよりも上部の適所に配置構成されるために、通常、商品取出口１６の下方にいわゆるデッドスペースとなる空間が存在するものである。
【０１２３】
そして、このデッドスペースとなる空間内をほぼ活用して配置される誘導加熱装置１００は、缶商品１８の排出側が上向きとなるような傾斜姿勢で配置される。したがって、誘導加熱装置１００内から商品取出口１６内に缶商品１８を排出するためには缶商品１８の自重に抗して移動させる排出機構を別途必要としている。
【０１２４】
また商品誘導加熱制御部５０２も商品取出口１６の下方にいわゆるデッドスペースとなる空間内を活用して配置され、また誘導加熱装置１００の近傍に配置されるので、高電圧部間の距離を短く構成でき、安全性を高めることができる。
【０１２５】
以上のように構成された誘導加熱装置１００について、以下その動作、作用を説明する。
【０１２６】
利用者が、商品選択ボタン８０４ａを押して、ホット商品を「あつめ」指定すると、自動販売機全体を制御する主制御部５０１によって、自動販売機本体１１内に商品が劣化しない約３５℃程度にプレヒートされた缶商品１８の搬出を行い、誘導加熱装置１００へ搬送される。そして主制御部５０１から商品誘導加熱制御部５０２へ、選択された「あつめ」の５５℃の設定温度情報が入力され、誘導加熱装置１００へ通電されて、姿勢制御部材２００を動作させて、缶商品１８の受容状態が倒置姿勢であるかどうかを確認し、姿勢制御部材２００が初期位置に戻ったことを検知して、誘導加熱コイル１０２へ通電を行い、缶商品１８を自転回転させる下部ローラ１０３を回転駆動させて加熱動作を開始する。そして後述する非接触式温度検知手段１１０によって缶商品１８の温度を検知し、設定温度になれば、誘導加熱コイル１０２への通電を停止し、加熱動作を停止する。
【０１２７】
したがって、利用者は商品選択ボタン８０４ａの操作を１回のみを行うだけで、好みの温度に缶商品１８を設定できるので、商品選択ボタン８０４ａの操作から加熱動作までの時間を短縮することができ、利用者を不要に待たせることを防止することができ、利用者の操作性も簡素化できる。また、誘導加熱コイル１０２への通電は、姿勢制御部材２００が初期位置に戻って、缶商品１８が正規の状態に保持されたことを確認後に、開始されるので、缶商品１８に対して安定した加熱を行うことができる。
【０１２８】
姿勢制御部材２００が初期位置に戻ったことを検知できない場合は、商品が倒置姿勢に受容されていないか、若しくは搬出通路内で商品詰まりが発生したとして、誘導加熱コイル１０２への通電は行わず、加熱動作を停止する。そして商品サンプル展示部１３ａの商品選択ボタンを点灯させて、別の商品の販売に切り替える。この時、商品サンプル展示部１３ｂに対応する商品の選択操作ができないように売切れ表示等を行うことで、利用者への販売促進を行うことができる。また、この場合、返却レバー操作によって代金を返却するようにしてもよい。
【０１２９】
また商品サンプル展示室１３ｂに展示されている商品の商品選択ボタン８０４ａ、８０４ｂで選択される販売温度を設定する加熱温度は外扉１２の裏面に備えたリモコン７００によって設定および変更可能に構成されている。具体的にはリモコン７００（いわゆる温度設定手段）を操作して、各商品サンプル８０２の「あつめ」ボタン側の設定温度をすべて５５℃設定とし、「ぬるめ」ボタン側の設定温度をすべて４５℃設定となるようにリモコン７００を操作して設定できる。これによって商品サンプル展示室１３ｂの誘導加熱対象商品の「あつめ」、「ぬるめ」温度設定をまとめて行うことができ、設定操作を簡素化できる。
【０１３０】
この場合、加熱温度数値をリモコン７００に備えられた数値キー（図示しない）を自動販売機管理者が直接入力して設定できるが、加熱温度を６０℃以上の数値に誤って入力された場合、利用者が商品を手にしたとき火傷する可能性がある。このため加熱温度上限値を予め記憶させておき上限値以上の数値が入力されてもキャンセルされて設定できないように構成されているので、管理者の誤入力動作を防止し利用者への安全性を維持できる。
【０１３１】
また上記のように加熱温度値を直接リモコン７００に入力するとしたが、より誤入力を無くすために、設定可能な加熱温度が予め記憶された複数の加熱温度情報が主制御部５０１に格納されており、リモコン７００の加熱温度設定モード時に、加熱温度情報に割り当てられた５つのモード、具体的にはレベル０〜レベル４があり、レベル０は加熱しないモードで、庫内に貯蔵されている温度設定、レベル１は約４０℃設定、レベル４は最高温度の約５５℃設定で、レベル２、３はレベル１またはレベル４よりも約５℃差で設定された温度として設定された加熱温度情報であり、このモードの中から選択操作することで、「あつめ」、「ぬるめ」温度を設定することができる。
【０１３２】
したがって、管理者は加熱温度設定入力を誤って入力しても６０℃以上の火傷の可能性のある温度帯を選ぶことはないので、加熱温度設定の安全性を確保することができる。
【０１３３】
また、夏場の場合は自動販売機本体１１内のすべての商品が冷却商品としてのみ販売される場合がある。誘導加熱装置１００に一旦搬送されて販売される商品収納室１１ａに収納されている商品は、加熱温度情報として管理者がレベル０を入力して設定する。これによって商品は商品収納室１１ａ内で冷却された温度状態のまま誘導加熱装置１００に搬送され、誘導加熱コイル１０２に通電されて加熱されることなく、搬出部材３００で商品取出口１６へ押出されて搬出されるので、適温に冷却された商品を販売することができる。
【０１３４】
したがって、加熱しないモードを温度設定手段７００（リモコン）によって選択できるので、季節や設置環境に応じて冷却室として活用することができるので、汎用性を高めることができる。
【０１３５】
また外扉１２の前面に誘導加熱装置１００による加熱動作を強制終了できる終了ボタン７０１を備えている。終了ボタン７０１は商品選択ボタン８０４ａまたは８０４ｂの選択操作後に操作すれば有効であり、具体的には加熱途中に終了ボタン７０１を押すと強制的に誘導加熱コイル１０２への通電が停止されて搬出部材３００によって商品取出口１６へ押出される。このとき終了ボタン７０１の上部に有した表示部７０２に現在の加熱温度が表示されているので、利用者は表示部７０２を見ながら加熱停止を強制的に行うことができる。
【０１３６】
または商品選択ボタン８０４を操作後で商品が誘導加熱装置１００へ搬送されるまでに終了ボタン７０１を操作すれば、加熱されることなく搬出部材３００によって押し出されるので商品収納室１１ａ内に保存されていた温度のまま利用者へ販売することができる。
【０１３７】
このように、基本的には管理者が予めリモコン７００で設定した加熱温度での「あつめ」「ぬるめ」の商品として販売されるので、利用者は商品選択ボタン８０４ａまたは８０４ｂのどちらかのボタンを押圧操作するだけで、ホット商品を買うことができるが、終了ボタン７０１を備えることによって、さらに好みの温度の商品を得ることができるので、自動販売機による販売促進を高めることができる。
【０１３８】
またリモコン７００による各商品の温度設定は、まとめて行うとしたが、まとめて一括して行うと「あつめ」温度は商品種類に関係なく、例えば５５℃設定とすべて同じ温度設定になる。しかしコーヒー以外に味噌汁やおしるこ、スープ類など種類によっては最適な加熱温度が異なる場合はある。このような場合には「あつめ」「ぬるめ」の温度を、商品ごとに設定できるように個別に加熱温度情報に割り当てられたモードの中から選択して設定できるので、商品種にあった飲み頃の加熱温度に加熱した商品を提供できる。
【０１３９】
また商品サンプル展示室１３ａは冷却専用の商品としたが、従来どおりにヒータ等で加温できる商品群があってもよく、誘導加熱方式による加温ができない場合に、商品サンプル展示部１３ａ側でヒータ加温による商品を選択することができる。
【０１４０】
なお、本実施の形態においては、商品選択ボタンを「あつめ」と「ぬるめ」の販売温度状態に分けて２つ用意する簡便な構成としたが、商品選択ボタンの形態は必ずしも同様の複数のボタンを個別に用意しなくても、例えば、「あつめ」と「ぬるめ」や、「あつめ」と「ぬるめ」と「ふつう」などの操作部がひとつのスイッチ機構に集約して付加されている切替兼決定ボタン的な選択機構とすれば、選択部は見かけ上１箇所に集約されるので自動販売機の正面外観が意匠的にも煩雑にならず品位が高まり、選択部の配置スペースもコンパクトになるのでレイアウト設計の自由度も高くなる。
【０１４１】
一方、下部ローラ１０３は回転時、ゴム部材１０３ｃが缶商品１８に当接しているので缶商品１８は商品受台１０１上で空回りすることなく回転でき、局部過熱することなく適温加熱できる。またゴム部材１０３ｃはローラ部材１０３ｂを構成する芯部材１０８内部に形成した穴部１０３ｄや連結穴部１０３ｅにも充填されて、らせん状に構成されているので、熱による劣化や缶商品１８の衝撃やこすれによるゴム部材１０３ｃの下部ローラ１０３に対するズレや剥がれを防止することができ、強度をアップし、また缶商品の空回りを低減し、局部過熱を防止できる。
【０１４２】
上記のようなズレや剥がれ、商品落下衝撃による変形や破損、経年劣化等で下部ローラ１０３を交換する場合は、受け部１０７を取り外すことで、下部ローラ１０３の一側が外れ、そして下部ローラ１０３のローラ部材１０３ｂを軸方向に引き抜くことで、他側の受け部１０７に軸部１０３ａを残した状態でローラ部材１０３ｂを取り外すことができる。そして新しいローラ部材１０３ｂを軸部１０３ａに挿入することで、交換が容易に可能となり、作業性を高めることができ、缶商品の適温加熱品質の信頼性を高めることができる。
【０１４３】
また、缶商品１８の回転により商品受台１０１の磨耗を低減または抑制するために、樹脂で成形されて商品受台１０１の商品と当接する部分となるところに強化ガラス板５００をはめ込んでいる。実施例では商品受台１０１となるコイルケース１０１ａの商品当接面に略矩形状の強化ガラス板５００を嵌めこんでいる。
【０１４４】
また商品受台１０１と下部ローラ１０３とは、実施の形態１と同様に、所定間隔Ｌをおいて離間した位置に配置され、誘導加熱コイル１０２の配置されている領域内に下部ローラ１０３が埋め込まれて存在するものではない。
【０１４５】
また、商品受台１０１を構成するコイルケース１０１ａの裏蓋となるコイルケース本体１０１ｂ内に配置される複数の略矩形状の第１のフェライト１０４は左右両側に間隔をおいて上下３段に並べて配置している。そして楕円形状に複数回略同心円状に巻かれた誘導加熱コイル１０２が、これら第１のフェライト１０４の上部に配置して、誘導加熱コイル１０２の略中心部となる中央空間部１０２ａが、左右両側に配置した第１のフェライト１０４の中央空間部１０４ａに対応配置し、誘導加熱コイル１０２の中央空間部１０２ａから第１のフェライト１０４の中央空間部１０４ａに亘って矩形状の第２のフェライト１１４を第１のフェライト１０４に対して略鉛直方向に挿入して配置することで、発生する磁束を商品側へ放出でき、缶の温度上昇度の効率をアップすることができる。また缶側に磁束もフェライト１０４に集中するようになり、商品への入力効率がアップし、商品の加熱効率を向上することができる。
【０１４６】
誘導加熱コイル１０２は、商品受台１０１の形状に沿って断面略面取り形状に構成されており、商品受台１０１に缶商品が接触する平面部分（強化ガラス板５００）に対応する平面部１０２ｂと折り曲げ部１０２ｃで構成されている。上下両端の折り曲げ部１０２ｃは、それぞれ略鉛直方向、略水平方向に延在して構成され、これに対応して商品受台１０１も構成されているので、上方から落下してくるか缶商品を受入れやすく、缶商品が折り曲げ部１０２ｃに対応する商品受台１０１の部分に当っても商品受台１０１内に受容保持できるので、缶商品のない状態で加熱動作するのを阻止することができる。
【０１４７】
第２のフェライト１１４は誘導加熱コイル１０２よりも、コイルケース１０１ａ面に向かって突出させると、さらに磁束を缶側へ放出でき、缶商品の加熱効率をさらに高めることができる。
【０１４８】
次に誘導加熱装置１００による缶商品の搬出機構について説明する。
【０１４９】
搬出機構の動作は、搬出部材３００によって行われ、商品受台１０１で加熱された後の缶商品１８を缶の長手方向（商品受台１０１の長手方向）に滑らせて外部へ押出すものである。つまり搬出部材３００は上記で説明した下部ローラ１０３の回転駆動によって下部ローラ１０３の軸方向に移動自在に構成されている。
【０１５０】
また、図１４で外枠１０６には、待機位置にある搬出部材３００を下部ローラ１０３の回転駆動に連動するように押出すプッシャー手段３０１が構成されている。プッシャー手段３０１は上部ローラ２０１と下部ローラ１０３の長手方向の側部に位置しており、プッシャー手段３０１は、一端が姿勢制御部材２００に、他端が搬出部材３００に係合し、搬出部材３００側には弾性部材３０２が備えられている。プッシャー手段３０１は板状部材で形成されていて、略中央部には回転軸部３００ａが形成され、姿勢制御部材２００または搬出部材３００が当接することで、回転軸部３００ａを中心にプッシャー手段３０１が回転可能に構成されている。
【０１５１】
誘導加熱装置１００は商品受台１０１の商品排出側が上方になるように傾斜配置しており、プッシャー手段３０１は商品受台１０１の下方側に構成されている。また商品受台１０１の傾斜配置に伴って上部ローラ２０１、下部ローラ１０３とも平行して傾斜配置で構成されているため、外力を受けない場合、プッシャー手段３０１の弾性部材３０２が配置される下端側は下部ローラ１０３から離れる方向で維持されている。
【０１５２】
またはプッシャー手段３０１は回転軸部３００ａにより重心が上部側の姿勢制御部材２００側になるように構成され、弾性部材３０２が下部ローラ１０３から遠ざかる方向に維持されているようにしてもよい。
【０１５３】
以上のように構成された搬出機構について、以下その動作、作用を説明する。
【０１５４】
缶商品１８が商品収納部から誘導加熱装置１００に搬送され、商品受台１０１に落下すると、まず上部ローラ２０１の回転駆動により姿勢制御部材２００が待機位置から缶商品１８を外部へ押出す方向に向かって所定位置まで移動し、そして待機位置まで戻るように商品受台１０１の長手方向に往復移動動作する。これによって缶商品１８を倒置姿勢に維持させる。上部ローラ２０１の回転駆動と同時に、下部ローラ１０３が搬出部材３００を移動させて缶商品１８を外部へ押出す方向を正回転駆動とすれば、下部ローラ１０３を所定時間、逆回転駆動させ、缶商品１８の下部を不安定にさせる。
【０１５５】
これによって、缶商品１８が起立姿勢で商品受台１０１上に維持された場合、上部ローラ２０１の回転駆動による姿勢制御部材２００を缶商品１８の上部に接触させ、下部ローラ１０３の逆回転駆動により缶商品１８の下部を不安定にさせることで缶商品１８の大小にかかわらず横倒しにすることができ、次の加熱動作を行うことができる。
【０１５６】
そして加熱動作時、下部ローラ１０３が正回転を行い缶商品１８を回転させる。このときゴム部材１０３ｃが缶商品に当接して、缶商品を自転させ、このとき、誘導加熱コイル１０２に高周波電流を通電して、缶商品１８を誘導加熱する。
【０１５７】
また下部ローラ１０３が回転中、搬出部材３００は下部ローラ１０３のネジ切り部１０８ｃが構成されていない部分でスリップ（空回り）しながら待機し、移動しないように維持されている。このとき、プッシャー手段３０１の弾性部材３０２は搬出部材３００に当接しないように離れた位置で保持されている。加熱中、上部ローラ２０１は回転を停止しており、姿勢制御部材２００は待機位置で停止した状態で維持されている。姿勢制御部材２００の待機位置はプッシャー手段３０１の一端側の係合部に当接しない位置に停止している。
【０１５８】
そして加熱動作が終了し、下部ローラ１０３が停止すると、次に缶商品の搬出動作を行う。このとき、下部ローラ駆動モータ１１１に逆通電した下部ローラ１０３を逆回転させる。また上部ローラ２０１を回転駆動させて、上部ローラ２０１を回転させ、姿勢制御部材２００がプッシャー手段３０１の一端部を押し圧するまで駆動させる。これによって、プッシャー手段３０１が回転軸部３００ａを中心に回転し、他端側に構成された弾性部材３０２が搬出部材３００に接触し、弾性力によって搬出部材３００を下部ローラ１０３の軸方向に押出す。
【０１５９】
これによって搬出部材３００はスリップ状態を解除し、ネジ切り部１０８ｃとかみ合って下部ローラ１０３の回転により缶商品を外部へ搬出することができる。
【０１６０】
したがって加熱中、搬出部材３００は弾性部材３０２から、わずかな外力も受けないので、ネジ切り部１０８ｃの端面との接触によるカタカタ音などの異音が発生することがなく、スムーズに下部ローラ１０３を回転させることができる。
【０１６１】
搬出部材３００は商品受台１０１の端部まで移動すると、下部ローラ１０３を加熱時と同じ方向に回転させて搬出部材３００を初期位置である待機位置に移動させる。
【０１６２】
そして誘導加熱装置１００の商品受台１０１の端部に商品取出口１６に連通する開口部５０４が形成され、開口部５０４を開閉する上下方向に移動可能な開閉部材５０５が形成されており、搬出部材３００の移動とほぼ同時に開閉部材５０５が運転されて下方へ移動し、商品取出口１６と商品受台１０１が連通され、搬出部材３００の押出しにより、商品取出口１６へ缶商品１８が排出される。その後、搬出部材３００は待機位置へ戻り、開閉部材５０５は上方へ移動し、商品受台１０１と商品取出口１６間を遮断する。
【０１６３】
これによって缶商品を自動的に外部へ搬出することができるので、利用者は誘導加熱装置１００内に手を入れて取出す必要がなく、安全の確保ができる。また搬出部材３００を待機位置に戻すことで、誘導加熱装置１００内に商品が詰まっているかを制御することができる。
【０１６４】
また開閉部材５０５で、待機時は誘導加熱装置１００と商品取出口１６が遮断された状態にあるので悪戯防止や誘導加熱装置１００内部へ埃や虫等の侵入を防止することができる。また開閉部材５０５の外側に備え、商品受台１０１と商品取出口１６との間をつなぐ連結板５０６を設けることで、商品受台１０１と商品取出口１６との隙間を埋めて連結でき、開閉部材５０５が開いたときに、搬出部材３００によって押出される缶商品１８にかかる外力を低減することができ、商品取出口１６内へスムーズに排出することができる。
【０１６５】
特に、誘導加熱装置１００が駆動されない間でも、定期的に搬出部材３００を所定区間往復移動させて、搬出部材３００が商品受台１０１の端部まで移動しない場合、または待機位置まで戻ってこない場合は内部に異物があると、異状判断し、誘導加熱装置１００で加熱処理を行う商品の商品選択ボタンを売り切れ状態にして、売れないように対応することで、誘導加熱装置１００の安全性を確保することができる。
【０１６６】
次に、誘導加熱コイル１０２を冷却する冷却風路構成について説明する。
【０１６７】
図１７のように商品加熱部１００ａの下方に駆動モータ等を収納する駆動部１００ｂが構成されている。
【０１６８】
駆動部１００ｂには送風ファン４００が収納されており、送風ファン４００から商品加熱部１００ａに向かって空気を送風するダクト４０１が構成されている。送風ファン４００は多翼ファンやターボファンと言われる軸に対して直角に、遠心方向に空気が流れる遠心型送風機であり、ダクト４０１は送付ファン４００の吐出口と商品加熱部１００ａの開口部４０２を連結して構成されている。
【０１６９】
そして、開口部４０２は商品受台１０１を構成する樹脂製のコイルケース１０１ａ内に連通するように風路構成され、具体的には、誘導加熱コイル１０２と第１フェライト１０４の間を空気が流れるように空間部４０３が形成され風路を構成している。すなわち、誘導加熱コイルの下方から上方に向けて空気を流す風路が構成されている。
【０１７０】
また駆動部１００ｂ内の送風ファン４００と下部ローラ駆動モータ１１１、上部ローラ駆動モータ１１２との位置関係は、送風ファン４００の吸込み口４００ａの近傍に下部ローラ駆動モータ１１１と上部ローラ駆動モータ１１２が配置されている。
【０１７１】
以上のように構成された冷却風路について、以下その動作、作用を説明する。
【０１７２】
送風ファン４００の運転により、駆動部１００ｂ内の空気を吸い込み、ダクト４０１を介してコイルケース１０１ａ内に空気を強制送風し、誘導加熱コイル１０２と第１フェライト１０４の間に空気を導くことで、特に誘導加熱コイル１０２を冷却し、その結果、商品受台１０１表面の冷却を行うことができ、また誘導加熱コイル１０２と第１フェライト１０４の間に風路を設けることで、誘導加熱コイル１０２と商品受台１０１との間隙を近接できるので、コイル温度上昇を低減でき、缶商品１８の加温効率を高めることができる。
【０１７３】
また、誘導加熱コイル１０２の表面を覆う被膜を絶縁温度（約１６０℃）以下に保つことができ、誘導加熱コイル１０２を冷却することができ、また商品受台１０１の表面温度も低くできるので、誘導加熱コイル１０２の破壊を抑制し、誘導加熱装置１００によるホット商品の連続加熱が可能となり連続販売が可能となる。したがって、販売促進に寄与する。
【０１７４】
送風ファン４００は、少なくとも加熱中は連続運転で制御されているが、誘導加熱装置１００が運転されていない時でも、常時連続運転することで、突然、誘導加熱装置１００による加熱運転が行われた場合でも、常に誘導加熱コイル１０２の安全性を維持することができる。
【０１７５】
そしてコイルケース１０１ａの上部背面で外枠１０６に形成された排気孔１１３から空気を外部へ排気することで、熱交換効率を高め誘導加熱コイル１０２の加温効率を高めることができる。
【０１７６】
また、外扉１２の裏面に誘導加熱装置１００を固定するベース部６００が形成され、外枠１０６がベース部６００にビス等で固定されて構成されている。このため外扉１２と誘導加熱装置１００の間にはベース部６００の奥行き高さ分だけスペース部６０１を確保することができる。ベース部６００には上下方向に形成された連通孔６００ａが複数形成されている。
【０１７７】
これによって、排気孔１１３から吐出した空気は外扉１２と誘導加熱装置１００の間に形成されたスペース部６０１内を通り、さらにベース部６００に形成された連通孔６００ａを通って誘導加熱装置１００の上部へ排出するように構成されているので、誘導加熱コイル１０２から発生する熱を効率よく排気することができ、特に誘導加熱装置１００による加熱運転が、ほぼ連続的に行われる連続加熱販売の場合、商品受台１０１が高温状態のまま商品の加熱運転するのを抑制し、誘導加熱コイル１０２と商品受台１０１の温度がさらに上昇するのを防止することができる。
【０１７８】
これによって誘導加熱コイル１０２が絶縁被覆温度を超えて安全装置が働き、このため加温を途中で停止してしまうなどの安全性や加温品質の劣化を防止することができ、誘導加熱装置１００による商品の連続販売を実現することができる。
【０１７９】
安全性を確保することができ、また誘導加熱装置１００の連続運転による、ホット商品の連続販売が可能となる。
【０１８０】
また、送風ファン４００により、下部ローラ駆動モータ１１１と上部ローラ駆動モータ１１２で発生する熱を効率よく排除することができ、駆動部１００ｂ内が高温になるのを防止することができ、駆動部の信頼性を確保することができる。
【０１８１】
また、送風ファン４００による風路構成をコイルケース１０１ａ内のみに構成したが、一部の空気がコイルケース１０１ａの上面、すなわち商品受台１０１面に送風されるように風路を設けてもよく、これにより商品受台１０１面の温度を低下させるとともに、商品受台１０１面にゴミやほこり等が付着するのを防止することができる。具体的な風路構成として、ダクト４０１を途中で分岐させて、商品受台１０１と下部ローラ１０３間に設けられた隙間寸法Ｌの部分から空気が吹き出すように構成すればよい。
【０１８２】
なお、本実施の形態において送風ファン４００の吐出風路側を被冷却対象に作用させるようにしたが、風路構成上の制約や送風騒音の対策等の理由により必ずしも吐出風路側を利用しなくてもよく、場合によっては吸入風路側を利用することも可能である。
【０１８３】
次に、缶商品１８の温度を検知する温度検知手段である非接触式温度検知手段１１０について説明する。
【０１８４】
非接触式温度検知手段１１０（例えば赤外線センサー）は、商品受台１０１の長手方向（幅方向）の略中間部で、下部ローラ１０３近傍に配置されている。缶商品は下部ローラ１０３に当接配置するので缶外径の大小にかかわらず缶商品と非接触式温度検知手段１１０との距離をほぼ一定に保つことができる。
【０１８５】
また、非接触式温度検知手段１１０を商品受台１０１の長手方向の略中間部に配置するとしたが配置した商品受台１０１の長手方向の下部近傍に配置してもよく、略中間部から位置をずらすことで、缶表面温度の測定精度を向上させることができる。
【０１８６】
これは、缶商品に対する誘導加熱コイル１０２の位置関係で、缶商品の長手方向の中央部付近は商品受台１０１に対する誘導加熱コイル１０２の配置構成上、誘導加熱コイル１０２のほぼ中央部に位置するため、最も温度が高くなりやすく、缶商品の長手方向で端へ行くほど低くなる傾向がある。
【０１８７】
したがって、缶商品の中央部ほど缶表面温度の変化率が大きいので、幅広い温度範囲を精度よく検知できる非接触式温度検知手段１１０が必要になる。しかしながら、缶商品を適温に検知して加熱を制御できるように非接触式温度検知手段１１０の精度を高めるためには、測定温度範囲を狭くした非接触式温度検知手段１１０を用いて精度を高める必要があり、測定位置を缶商品の中央部からずらした位置、すなわち誘導加熱コイル１０２の端部に対応する位置となる商品受台１０１の長手方向の下部近傍に非接触式温度検知手段１１０を配置することで缶表面温度の測定精度を向上することができ、過熱によるやけど等の安全性を高め、またぬるめ商品による品質の低下を阻止することができる。
【産業上の利用可能性】
【０１８８】
以上のように本発明にかかる缶商品の誘導加熱装置は、商品選択動作を簡素化して好みの温度に加熱したホット商品を無用に待つことなく購入することができ、自動販売機や携帯用缶加熱装置として広く適用できる。
【図面の簡単な説明】
【０１８９】
【図１】本発明の実施の形態１、２を示す缶商品の誘導加熱装置を備えた自動販売機の正面図
【図２】同実施の形態の自動販売機の縦断面図
【図３】同実施の形態の自動販売機における缶商品の誘導加熱装置の斜視図
【図４】同実施の形態の自動販売機における缶商品の誘導加熱装置の正面図
【図５】図４の矢視Ａの側面図
【図６】図４の矢視Ａの側面図
【図７】図４のＢ−Ｂ線の断面図
【図８】図４の矢視Ｃから見た図
【図９】同実施の形態の自動販売機における缶商品の誘導加熱装置の搬出機構を示す図
【図１０】本発明の実施の形態２における自動販売機の斜視図
【図１１】同実施の形態の自動販売機における外扉の裏面斜視図
【図１２】同実施の形態の自動販売機における缶商品の誘導加熱装置の斜視図
【図１３】同実施の形態の自動販売機における誘導加熱装置の要部斜視図
【図１４】同実施の形態の自動販売機における誘導加熱装置の要部斜視図
【図１５】同実施の形態の自動販売機における誘導加熱装置の正面要部断面図
【図１６】図１５の要部拡大図
【図１７】同実施の形態の風路構成図
【図１８】同実施の形態の要部斜視図
【図１９】同実施の形態のコイルケース内の構成図
【図２０】従来の自動販売機の断面図
【図２１】従来の販売温度設定操作パネルの正面図
【図２２】従来の自動販売機の販売、加熱動作を表すフローチャート
【符号の説明】
【０１９０】
１１  自動販売機本体
１１ａ  商品収納室
１２  外扉（扉）
１６  商品取出口
１７  誘導加熱装置
１９  商品受台
２０  誘導加熱コイル
３３  搬出部材（搬出機構）
１００  誘導加熱装置
１０１  商品受台
１０２  誘導加熱コイル
３００  搬出部材（搬出機構）
７００  リモコン（温度設定手段）
７０１  終了ボタン
７０２  表示部
８０４ａ，８０４ｂ  商品選択ボタン
【図１】
2008117172.tif 000003
【図２】
2008117172.tif 000004
【図３】
2008117172.tif 000005
【図４】
2008117172.tif 000006
【図５】
2008117172.tif 000007
【図６】
2008117172.tif 000008
【図７】
2008117172.tif 000009
【図８】
2008117172.tif 000010
【図９】
2008117172.tif 000011
【図１０】
2008117172.tif 000012
【図１１】
2008117172.tif 000013
【図１２】
2008117172.tif 000014
【図１３】
2008117172.tif 000015
【図１４】
2008117172.tif 000016
【図１５】
2008117172.tif 000017
【図１６】
2008117172.tif 000018
【図１７】
2008117172.tif 000019
【図１８】
2008117172.tif 000020
【図１９】
2008117172.tif 000021
【図２０】
2008117172.tif 000022
【図２１】
2008117172.tif 000023
【図２２】
2008117172.tif 000024